(57)【要約】【課題】被取付物の運搬時や保管時には厚みが薄くなる状態に変形し、送受信時には金属面との間に充分な間隔を確保する状態に復元し得るＲＦＩＤタグを提供する。【解決手段】ＲＦＩＤインレット２を担持する非金属製の担持板３と、該担持板３を金属製の被取付物１４の外面１５から所定間隔で離間させた位置に保持する展開状態と、担持板３を前記被取付物１４の外面１５に近接させた位置に保持する折り畳み状態とに変換可能な可変スペーサー４とを備えた構成とした。これにより、可変スペーサー４を必要に応じて展開状態または折り畳み状態に変換することで、ＲＦＩＤタグ１Ａの厚みを変えることができる。【選択図】図４
2010262541.tif 000002
【特許請求の範囲】
【請求項１】
データを書き換え可能に格納するメモリを具備したＩＣチップと、該ＩＣチップに接続されたアンテナとを備え、前記データを所定の入出力装置と非接触で送受信する機能を備えたＲＦＩＤインレットと、
該ＲＦＩＤインレットを担持する非金属製の担持板と、
該担持板を金属製の被取付物の外面から所定間隔で離間させた位置に保持する展開状態と、担持板を前記被取付物の外面に近接させた位置に保持する折り畳み状態とに変換可能な可変スペーサーと
を備えてなることを特徴とするＲＦＩＤタグ。
【請求項２】
可変スペーサーが、二本の杆状部材の端部を回動可能に枢結することによって展開及び折り畳み可能に設けられて、一端が担持板の裏面に回動可能に枢結され、他端が被取付物の外面に回動可能に枢結される複数のスペーサー杆からなることを特徴とする請求項１記載のＲＦＩＤタグ。
【請求項３】
可変スペーサーが、
二つ折り状に折り畳み可能な左右一対の折り畳み壁部と、
該両折り畳み壁部間で両折り畳み壁部と直交する方向に配置されて上下方向に回動可能に設けられ、先端が被取付物の外面に当接して両折り畳み壁部を展開状態に保持する支持位置と、該支持位置から回動して両折り畳み壁部を折り畳み可能とする退避位置とに変換可能な前後一対の支持壁部と
を備えた筐体状スペーサー部材からなることを特徴とする請求項１記載のＲＦＩＤタグ。
【請求項４】
可変スペーサーを金属製の被取付物の外面に取付ける取付板を備えていることを特徴とする請求項１乃至請求項３の何れか１項に記載のＲＦＩＤタグ。
【請求項５】
担持板と取付板とに掛け渡されて可変スペーサーの折り畳み状態を保持するストッパーを備えていることを特徴とする請求項４記載のＲＦＩＤタグ。
【請求項６】
担持板の外周縁から斜め外方に延出されて金属製の被取付物の外面に至る弾性変形可能な非金属製の保護カバー体を備えていることを特徴とする請求項５記載のＲＦＩＤタグ。
【発明の詳細な説明】
【技術分野】
【０００１】
本発明は、金属製の被取付物に取付けて使用するＲＦＩＤタグに関する。
【背景技術】
【０００２】
ＲＦＩＤ（Radio Frequency Identification）システムで用いられる非接触型ＩＣタグ等のＲＦＩＤタグは、ＩＣチップとアンテナとを備えてなり、入出力装置（リーダ・ライタ）との間で電磁波を利用して非接触でコマンド，データ等の信号を送受信し得る機能がある。このＲＦＩＤタグは、入出力装置側のアンテナが放射する有効電磁波ゾーンに進入すると、ＲＦＩＤタグのアンテナが誘導起電力を生成し、該電力により動作状態となって入出力装置からのコマンド，データ等の信号を検出するとともに、そのコマンド信号に従ってＩＣチップが具備するデータの読み書きが可能なメモリに受信データを格納したり、メモリに格納されているデータを入出力装置に送信するものであり、小型軽量で取扱い性に優れているため、近年、交通・レジャー分野，物流分野，セキュリティー分野，工場生産分野，環境分野，その他の幅広い分野で導入が進められている。
【０００３】
このようなＲＦＩＤタグは、金属製の被取付物に直接取付けると、送受信機能が極端に低下したり、送受信不能となることが知られている。そこで、従来はＲＦＩＤタグの裏面に合成樹脂やゴムからなる非金属製のスペーサを配設し、該スペーサを介してＲＦＩＤタグを金属製の被取付物に取付けることにより、ＲＦＩＤタグのアンテナと金属面とを離間させて送受信機能の低下を抑制するようにしていた（例えば、特許文献１参照）。
【先行技術文献】
【特許文献】
【０００４】
【特許文献１】特開２００９−９２０５号公報（「０００４」、図５）
【発明の概要】
【発明が解決しようとする課題】
【０００５】
ところで、上記のようにスペーサを用いる場合、送受信機能の低下を抑制するためには、スペーサの厚みを大きくしてＲＦＩＤタグのアンテナと金属面との間に充分な間隔を確保する必要があるが、スペーサの厚みを大きくすると該スペーサを含むＲＦＩＤタグ全体のサイズが大きくなり、これが被取付物の外面から突出するため、被取付物の運搬時や保管時に嵩張ってしまうという問題点があった。
【０００６】
本発明は、かかる問題点を解決するためになされたものであり、被取付物の運搬時や保管時には厚みが薄くなる状態に変形し、送受信時には金属面との間に充分な間隔を確保する状態に復元し得るＲＦＩＤタグを提供することを目的とするものである。
【課題を解決するための手段】
【０００７】
本発明は、データを書き換え可能に格納するメモリを具備したＩＣチップと、該ＩＣチップに接続されたアンテナとを備え、前記データを所定の入出力装置と非接触で送受信する機能を備えたＲＦＩＤインレットと、該ＲＦＩＤインレットを担持する非金属製の担持板と、該担持板を金属製の被取付物の外面から所定間隔で離間させた位置に保持する展開状態と、担持板を前記被取付物の外面に近接させた位置に保持する折り畳み状態とに変換可能な可変スペーサーとを備えてなることを特徴とするＲＦＩＤタグである。
【０００８】
ここで、ＲＦＩＤインレットは、ＩＣチップとアンテナとを合成樹脂シート上に担持して構成したり、ＩＣチップとアンテナとを合成樹脂シート上に担持し、これを合成樹脂の外装体で被覆して構成され得る。
【０００９】
前記ＲＦＩＤタグにあって、可変スペーサーが、二本の杆状部材の端部を回動可能に枢結することによって展開及び折り畳み可能に設けられて、一端が担持板の裏面に回動可能に枢結され、他端が被取付物の外面に回動可能に枢結される複数のスペーサー杆からなる構成が提案される。
【００１０】
また、可変スペーサーが、二つ折り状に折り畳み可能な左右一対の折り畳み壁部と、該両折り畳み壁部間で両折り畳み壁部と直交する方向に配置されて上下方向に回動可能に設けられ、先端が被取付物の外面に当接して両折り畳み壁部を展開状態に保持する支持位置と、該支持位置から回動して両折り畳み壁部を折り畳み可能とする退避位置とに変換可能な前後一対の支持壁部とを備えた筐体状スペーサー部材からなる構成が提案される。
【００１１】
さらに、可変スペーサーを金属製の被取付物の外面に取付ける取付板を備えている構成が提案される。
【００１２】
また、担持板と取付板とに掛け渡されて可変スペーサーの折り畳み状態を保持するストッパーを備えている構成が提案される。
【００１３】
また、前記ストッパーを備えたＲＦＩＤタグにあって、担持板の外周縁から斜め外方に延出されて金属製の被取付物の外面に至る弾性変形可能な非金属製の保護カバー体を備えている構成が提案される。
【発明の効果】
【００１４】
本発明は、上述したように、データを書き換え可能に格納するメモリを具備したＩＣチップと、該ＩＣチップに接続されたアンテナとを備え、前記データを所定の入出力装置と非接触で送受信する機能を備えたＲＦＩＤインレットと、該ＲＦＩＤインレットを担持する非金属製の担持板と、該担持板を金属製の被取付物の外面から所定間隔で離間させた位置に保持する展開状態と、担持板を前記被取付物の外面に近接させた位置に保持する折り畳み状態とに変換可能な可変スペーサーとを備えてなるＲＦＩＤタグであるから、可変スペーサーの一端を金属製の被取付物の外面に取付けた後、可変スペーサーの展開操作を介して該可変スペーサーを展開状態にすることにより、ＲＦＩＤインレットを担持する非金属製の担持板を金属製の被取付物の外面から所定間隔で離間させた位置に保持することができる。このように担持板が金属製の被取付物の外面から所定間隔で離間して保持される状態にあっては、ＲＦＩＤインレットと被取付物の金属面との間に所定の間隔が確保されて送受信機能の低下が抑制されるため、ＲＦＩＤインレットによるデータの送受信を支障なく行わせることができる。一方、被取付物の運搬時や保管時においては、可変スペーサーの折り畳み操作を介して該可変スペーサーを折り畳み状態にすることにより、担持板が被取付物の外面に近接する状態となる。これによりＲＦＩＤタグの厚みが薄くなり被取付物の外面からの突出幅が小さくなるため、ＲＦＩＤタグの厚さに起因する被取付物の嵩張りを解消することができる。このように、本発明にあっては、可変スペーサーの展開または折り畳み操作により、ＲＦＩＤタグの厚みを必要に応じて簡単に変化させることができる。
【００１５】
前記ＲＦＩＤタグにあって、可変スペーサーが、二本の杆状部材の端部を回動可能に枢結することによって展開及び折り畳み可能に設けられて、一端が担持板の裏面に回動可能に枢結され、他端が被取付物の外面に回動可能に枢結される複数のスペーサー杆からなるものとすることより、構造が簡単であるため、容易かつ安価に可変スペーサーを形成することができるとともに、展開及び折り畳み操作を簡単に行うことができる。
【００１６】
また、可変スペーサーが、二つ折り状に折り畳み可能な左右一対の折り畳み壁部と、該両折り畳み壁部間で両折り畳み壁部と直交する方向に配置されて上下方向に回動可能に設けられ、先端が被取付物の外面に当接して両折り畳み壁部を展開状態に保持する支持位置と、該支持位置から回動して両折り畳み壁部を折り畳み可能とする退避位置とに変換可能な前後一対の支持壁部とを備えた筐体状スペーサー部材からなるものとしても、構造が簡単であるため、容易かつ安価に可変スペーサーを形成することができるとともに、展開及び折り畳み操作を簡単に行うことができる。
【００１７】
また、可変スペーサーを金属製の被取付物の外面に取付ける取付板を備えている構成にあっては、該取付板部によって可変スペーサーを被取付物の外面に容易に取付けることができる。
【００１８】
さらに、担持板と取付板とに掛け渡されて可変スペーサーの折り畳み状態を保持するストッパーを備えている構成にあっては、被取付物の運搬時や保管時以外でも、ＲＦＩＤインレットによるデータの送受信を行う必要がないときには、ストッパーによって可変スペーサー４の折り畳み状態を確実に保持することができ、不用意に可変スペーサー４が展開状態となってＲＦＩＤタグ１Ｄが周辺のものと衝突することによって発生するＲＦＩＤタグ１Ｄの脱落或いは破損や故障を未然に防止することができる。
【００１９】
さらに、前記ＲＦＩＤタグにあって、担持板の外周縁から斜め外方に延出されて金属製の被取付物の外面に至る弾性変形可能な非金属製の保護カバー体を備えている構成にあっては、展開状態と折り畳み状態とに変化する可変スペーサーの状態変化に保護カバー体をその弾性変形作用を介して追従させることができ、該保護カバー体によって、可変スペーサーに側方から加わる衝撃と、担持板の下部内への異物の侵入とを防止することができるとともに、担持板に担持されたＲＦＩＤインレットを保護することができる。
【図面の簡単な説明】
【００２０】
【図１】第一実施例にかかるＲＦＩＤタグ１Ａの外観斜視図である。
【図２】図１における要部の拡大図である。
【図３】可変スペーサー４を構成するスペーサー杆５を示し、（Ａ）は展開状態、（Ｂ）は折り畳み状態の拡大図である。
【図４】被取付物１４の外面１５に取付けられたＲＦＩＤタグ１Ａを示し、（Ａ）は可変スペーサー４の展開状態、（Ｂ）は可変スペーサー４の折り畳み状態の縦断面図である。
【図５】ＲＦＩＤタグ１Ａの使用時における作用説明図である。
【図６】第二実施例にかかるＲＦＩＤタグ１Ｂの外観斜視図である。
【図７】被取付物１４の外面１５に取付けられたＲＦＩＤタグ１Ｂを示し、（Ａ）は可変スペーサー４の展開状態、（Ｂ）は支持壁部の上方への回動操作を示す説明図、（Ｃ）は可変スペーサー４の折り畳み状態の縦断面図である。
【図８】第三実施例にかかるＲＦＩＤタグ１Ｃを示し、（Ａ）は外観斜視図、（Ｂ）は被取付物１４の外面１５に取付けられた状態の縦断面図である。
【図９】第四実施例にかかるＲＦＩＤタグ１Ｄを示し、（Ａ）は外観斜視図、（Ｂ）はストッパー２５により折り畳み状態に保持された状態の縦断面図である。
【図１０】第五実施例にかかるＲＦＩＤタグ１Ｅを示し、保護カバー体２８を分離した状態の外観斜視図である。
【図１１】（Ａ）は同上のＲＦＩＤタグ１Ｅにおける可変スペーサー４の展開状態の縦断面図、（Ｂ）は可変スペーサー４の折り畳み状態の縦断面図である。
【発明を実施するための形態】
【００２１】
以下に、本発明の第一実施例を、図１〜図５に基づいて説明する。
ＲＦＩＤタグ１Ａは、ＲＦＩＤインレット２と、該ＲＦＩＤインレット２を担持する担持板３と、該担持板３に取付けられた可変スペーサー４とを備えている。
【００２２】
ＲＦＩＤインレット２は、ＩＣチップと、該ＩＣチップに電気的に接続されたアンテナとを備えており、該ＩＣチップとアンテナとが合成樹脂製の絶縁シート上に配設されている。このＲＦＩＤインレット２は、図示しない入出力装置（リーダ・ライタ）との間で電磁波を利用してコマンド，データ等の信号を非接触で送受信し得る非接触型の電池レスタイプとなっている。尚、ＲＦＩＤインレット２は、ＩＣチップとアンテナとを絶縁シート上に配設し、これを合成樹脂の外装体で被覆したものであってもよい。また、ＲＦＩＤインレット２は、ＨＦ帯域（例えば13.56MHz），ＵＨＦ帯域（例えば953MHzや2.45GHz）等の何れの帯域で作動するものであってもよい。
【００２３】
担持板３は、合成樹脂等の非金属性素材を用いて平板矩形状に形成されており、該担持板３の裏面に前記ＲＦＩＤインレット２が接着剤または粘着テープにより固定されて担持されている。一方、可変スペーサー４は、図２，図３に示すように、合成樹脂等の非金属性素材を用いて角柱状に形成された二本の杆状部材６，６の端部をヒンジ７を介して回動可能に枢結することによって展開及び折り畳み可能に設けられた四個のスペーサー杆５からなり、各スペーサー杆５の一端が担持板３の裏面の四隅位置にヒンジ８を介して回動可能に枢結されている。また、各スペーサー杆５の他端はヒンジ９を介して金属製の被取付物１４の外面１５に回動可能に取付けられる。各スペーサー杆５は、ヒンジ７で枢結された二本の杆状部材６，６の端部の相対する突き合わせ面１０，１０を回動操作によって当接させると直線状に展開する展開状態（図３（Ａ）参照）となる一方、この展開状態から前記突き合わせ面１０，１０が離れる方向に回動操作すると二つ折り状に折り畳まれる折り畳み状態（図３（Ｂ）参照）に変換されるようになっている。ここで、各スペーサー杆５の他端を金属製の被取付物１４の外面１５に取付けるヒンジ９は、他のヒンジ７，８と同様に、支軸１１によって回動可能に枢結された一対の回動片１２ａ，１２ｂからなり、その一方の回動片１２ａがスペーサー杆５の他端に固定され、他方の回動片１２ｂを粘着テープ１３によって被取付物１４の外面１５に取付けるようにしている。尚、この粘着テープ１３に代えて回動片１２ｂの裏面に粘着層を設けて貼着してもよく、また、ヒンジ９の回動片１２ａ，１２ｂを鉄板等の強磁性体で形成した場合には、回動片１２ｂに着磁処理を施して、その吸着作用によって該回動片１２ｂを金属製の被取付物１４の外面１５に取付けるようにすることも可能である。
【００２４】
ＲＦＩＤインレット２を担持した担持板３は、可変スペーサー４を構成する四個のスペーサー杆５が展開状態にあるとき、図４（Ａ）に示すように、被取付物１４の外面１５から所定間隔で離間する位置に保持される。また、各スペーサー杆５を折り畳み操作によって二つ折り状の折り畳み状態にすると、図４（Ｂ）に示すように、担持板３が被取付物１４の外面１５に近接する位置に保持される。尚、可変スペーサー４を構成する各スペーサー杆５の展開状態において担持板３が被取付物１４の外面１５から離間する間隔は１ｃｍ程度に設定することが好ましい。
【００２５】
図５（Ａ）に、被取付物１４としての金属製コンテナの側壁の外面１５にＲＦＩＤタグ１Ａを取付けた状態を示す。この状態にあって、可変スペーサー４を展開状態に変換すると、担持板３に担持されているＲＦＩＤインレット２が被取付物１４の外面１５から所定間隔で離間して保持される状態（図４（Ａ）参照）となり、送受信機能の低下が抑制されるため、ＲＦＩＤインレット２によるデータの送受信を支障なく行わせることができる。
【００２６】
一方、被取付物１４の運搬時や保管時においては、可変スペーサー４を折り畳み状態に変換することにより、担持板３が被取付物１４の外面１５に近接して保持される状態（図４（Ｂ）参照）となる。これによりＲＦＩＤタグ１Ａの厚みが薄くなり被取付物１４の外面１５からの突出幅が小さくなるため、図５（Ｂ）に示すように、ＲＦＩＤタグ１Ａの厚さに起因する被取付物１４の嵩張りを解消することができる。
【００２７】
尚、前記第一実施例にあって、可変スペーサー４を構成する各スペーサー杆５は、二本の杆状部材の端部を厚み方向に重ね合わせた部分に支軸を挿通させることによって回動可能に枢結するとともに、二本の杆状部材が直線状となる展開状態を保持する適宜のストッパーを設けることによって展開及び折り畳み可能に形成することも可能である。また、担持板３は矩形状に限定されるものではなく、その他の円形，三角形，多角形等の形状としてもよい。
【００２８】
図６，図７は、第二実施例を示し、この第二実施例のＲＦＩＤタグ１Ｂは、可変スペーサー４が合成樹脂等の非金属性素材からなる筐体状スペーサー部材１６によって構成されている。該筐体状スペーサー部材１６は、ヒンジ１８を介して連結されて二つ折り状に折り畳み可能に設けられた左右一対の折り畳み壁部１７，１７と、該両折り畳み壁部１７，１７間で両折り畳み壁部１７，１７と直交する方向に配置されて上下方向に回動可能に設けられた前後一対の支持壁部１９，１９とを備えている。折り畳み壁部１７，１７及び支持壁部１９，１９の上端はヒンジ２０，２１を介して担持板３の裏面に回動可能に枢結されており、折り畳み壁部１７，１７の下端は被取付物１４の外面１５にヒンジ２２を介して回動可能に枢結される。また、支持壁部１９，１９は、図７（Ａ）に示すように、下方向への回動操作によって先端が被取付物１４の外面１５に当接して両折り畳み壁部１７，１７を展開状態に保持する支持位置と、図７（Ｂ）に示すように、前記支持位置からの上方向への回動操作によって両折り畳み壁部１７，１７を折り畳み可能とする退避位置とに変換可能となっている。
【００２９】
かかる構成にあって、筐体状スペーサー部材１６の支持壁部１９，１９を下方向へ回動操作し、その先端を被取付物１４の外面１５に当接させて両折り畳み壁部１７，１７を展開状態に保持する支持位置に変換することにより、ＲＦＩＤインレット２を担持した担持板３が金属製の被取付物１４の外面１５から所定間隔で離間する位置に保持される状態（図７（Ａ）参照）となり、送受信機能の低下が抑制されるため、ＲＦＩＤインレット２によるデータの送受信を支障なく行わせることができる。
【００３０】
一方、被取付物１４の運搬時や保管時においては、図７（Ｂ）に示すように、筐体状スペーサー部材１６の支持壁部１９，１９を上方向へ回動操作して退避位置に変換し、両折り畳み壁部１７，１７を折り畳むことにより、担持板３が被取付物１４の外面１５に近接して保持される状態（図７（Ｃ）参照）となる。これによりＲＦＩＤタグ１Ｂの厚みが薄くなり被取付物１４の外面１５からの突出幅が小さくなるため、ＲＦＩＤタグ１Ｂの厚さに起因する被取付物１４の嵩張りを解消することができる。
【００３１】
図８は、第三実施例を示し、この第三実施例のＲＦＩＤタグ１Ｃは、可変スペーサー４を金属製の被取付物１４の外面１５に取付ける取付板２３を備えている。該取付板２３は、合成樹脂或いは金属板を用いて担持板３と同一形状に形成されており、その裏面に設けられた粘着層２４（図８（Ｂ）参照）によって前記被取付物１４の外面１５に取付けられるようになっている。取付板２３の表面には可変スペーサー４を構成する四個のスペーサー杆５の端部がヒンジ９を介して回動可能に枢結されている。前記粘着層２４には剥離紙（図示省略）が剥離可能に被着されており、被取付物１４の外面１５に取付けられるまでの間、該剥離紙によってその粘着面が保護されている。尚、粘着層２４は、取付板２３の裏面に粘着剤を塗布して設けたり、両面粘着テープを貼着することによって設けられ得る。また、この粘着層２４に代えて、取付板２３に磁石を配設し、該磁石の磁力によって金属製の被取付物１４の外面１５に吸着させるようにしてもよい。さらに、取付板２３を鉄板等の強磁性体で形成した場合には、該強磁性体に着磁処理を施してもよい。尚、図示した例では、四個のスペーサー杆５からなる可変スペーサー４を用いているが、これに代えて、可変スペーサー４を第二実施例の筐体状スペーサー部材１６としてもよい。
【００３２】
かかる構成にあっては、取付板２３によって可変スペーサー４を被取付物１４の外面１５に容易に取付けることができる。
【００３３】
図９は、第四実施例を示し、この第四実施例のＲＦＩＤタグ１Ｄは、担持板３と取付板２３とに掛け渡されて可変スペーサー４の折り畳み状態を保持するストッパー２５，２５を備えている。該ストッパー２５，２５は、担持板３の上面の辺縁近傍に前後または左右一対で配設されている。各ストッパー２５は略コ字形のフックからなり、該フックの一端が担持板３の上面の辺縁近傍に固着された取付部材２６を介して上下方向に回動可能に枢結されている。また、取付板２３の辺縁には前記ストッパー２５，２５の他端が係合可能な一対の係合溝２７，２７が形成されている。
【００３４】
かかる構成にあって、ストッパー２５，２５を使用するには、可変スペーサー４を折り畳み状態とし、この状態でストッパー２５，２５の他端を取付板２３の係合溝２７，２７に係合させることにより、図９（Ｂ）に示すように、可変スペーサー４の折り畳み状態を保持することができる。これにより、被取付物１４の運搬時や保管時以外でも、ＲＦＩＤインレット２によるデータの送受信を行う必要がないときには、可変スペーサー４の折り畳み状態を確実に保持することができ、不用意に可変スペーサー４が展開状態となってＲＦＩＤタグ１Ｄが周辺のものと衝突することによって発生するＲＦＩＤタグ１Ｄの脱落或いは破損や故障を未然に防止することができる。
【００３５】
尚、上述した第四実施例にあっては、ストッパー２５，２５を担持板３に配設し、係合溝２７，２７を取付板２３に配設するようにしているが、このストッパー２５，２５と係合溝２７，２７の配置関係を逆にすることも可能である。また、ストッパー２５，２５を略コ字形のフックとしたが、これに代えて一対の平帯体の先端に面ファスナーを設けたものや、一対の平帯体の先端に係脱可能なホックを設けたものであってもよい。
【００３６】
図１０，図１１は、第五実施例を示し、この第五実施例のＲＦＩＤタグ１Ｅは、担持板３と取付板２３間の側部を覆う弾性変形可能な保護カバー体２８を備えている。保護カバー体２８は、担持板３の上面に固着される基板部２９の四辺縁から斜め下方に延成された截頭角錐状の傾斜板部３０を備えており、該傾斜板部３０の四箇所のコーナー部分が切込み３１によって分断されている。傾斜板部３０は、可変スペーサー４が担持板３を被取付物１４の外面１５から離間させた位置に保持する展開状態（図１１（Ａ）参照）にあるときに、該被取付物１４の外面１５に当接する長さに形成されている。この保護カバー体２８の素材には、弾性を有する合成樹脂や合成ゴムが用いられる。尚、このような弾性を有する保護カバー体２８を設ける場合には、可変スペーサー４の折り畳み状態を保持するために、上述したストッパー２５，２５も設けられ、保護カバー体２８には該ストッパー２５，２５との干渉を回避する開口部３２，３２が形成される。また、このような保護カバー体２８を設ける場合には、ＲＦＩＤインレット２を担持板３の表面側に固定することも可能である。
【００３７】
かかる構成にあって、可変スペーサー４が折り畳み状態（図１１（Ｂ）参照）と展開状態（図１１（Ａ）参照）とに選択的に変換されると、保護カバー体２８がその弾性変形作用を介して可変スペーサー４の状態変化に追従する。これにより、担持板３と取付板２３間の側部を保護カバー体２８によって常時覆うことができるため、可変スペーサー４に側方から加わる衝撃と、担持板３の下部内への異物の侵入とを防止することができるとともに、担持板３に担持されたＲＦＩＤインレット２を保護することができる。
【００３８】
尚、保護カバー体２８は、傾斜板部３０を担持板３と一体形成することによって設けることも可能である。
【符号の説明】
【００３９】
１Ａ〜１Ｅ  ＲＦＩＤタグ
２  ＲＦＩＤインレット
３  担持板
４  可変スペーサー
５  スペーサー杆
６  杆状部材
１４  被取付物
１５  外面
１６  筐体状スペーサー部材
１７  折り畳み壁部
１９  支持壁部
２３  取付板
２５  ストッパー
２８  保護カバー体
【図１】
2010262541.tif 000003
【図２】
2010262541.tif 000004
【図３】
2010262541.tif 000005
【図４】
2010262541.tif 000006
【図５】
2010262541.tif 000007
【図６】
2010262541.tif 000008
【図７】
2010262541.tif 000009
【図８】
2010262541.tif 000010
【図９】
2010262541.tif 000011
【図１０】
2010262541.tif 000012
【図１１】
2010262541.tif 000013